(57)【要約】【課題】  広さに制限のある展示会場等であっても、省スペースで且つ効率的に数多くの種々なスピーカユニットの試聴が可能なスピーカ装置を提供する。【解決手段】  複数のスピーカユニットＳＰにおける基準軸の方向が放射状に向くように各スピーカユニットＳＰを支持する支持部２０と、各スピーカユニットＳＰの基準軸が特定の方向に向くように支持部２０を回転させる回動部３０とを備え、特定の方向に基準軸が向いたスピーカユニットＳＰ２に対して、人体検出センサ７０が聴取者Ａを検知すると制御部４０により、再生部５０からの音楽等が出力され、選択した特定のスピーカユニットＳＰ２から音声出力する。そして、設定時間毎にこれらのスピーカユニットＳＰが順次切り替わるように、支持部２０を上下方向等に回転させる。【選択図】      図２
2006025299.tif 000002
【特許請求の範囲】
【請求項１】
複数のスピーカユニットにおける基準軸の方向が放射状に向くように各スピーカユニットを支持する支持部と、
前記各スピーカユニットの基準軸が特定の方向に向くように前記支持部を回転させる回動部とを備え、
前記特定の方向に前記基準軸が向いたスピーカユニットに対して、選択的に音声信号を出力するスピーカ選択駆動手段を備えることを特徴とするスピーカ装置。
【請求項２】
前記支持部は、前記スピーカユニットを上下に支持し、前記基準軸の方向が上下方向に変更するように前記支持部を回転させる水平回転軸を有することを特徴とする請求項１に記載されたスピーカ装置。
【請求項３】
前記回動部は、前記特定方向に向いた前記各スピーカユニットの基準軸を設定時間毎に順次切り替えるように駆動制御する回転駆動制御手段を備えることを特徴とする請求項１又は２に記載されたスピーカ装置。
【請求項４】
前記回動部は、前記複数のスピーカユニットの内、選択されたスピーカユニットを前記特定の方向に向けるように前記支持部を回転駆動する回転駆動制御手段を備えることを特徴とする請求項１又は２に記載されたスピーカ装置。
【請求項５】
前記回動部は、前記支持部を手動で前記特定方向に向けるように回転させる回動手段を備えることを特徴とする請求項１又は２に記載されたスピーカ装置。
【請求項６】
前記スピーカ装置は人体センサを備え、該人体センサの検出信号に応じて、前記音声信号が出力されることを特徴とする請求項１〜５のいずれかに記載されたスピーカ装置。
【請求項７】
前記人体センサに応じて前記特定方向が設定されることを特徴とする請求項６に記載されたスピーカ装置。
【発明の詳細な説明】
【技術分野】
【０００１】
本発明はスピーカ装置に関するものである。
【背景技術】
【０００２】
スピーカ装置にて音楽等を試聴する際には、スピーカ装置を使い分けて音楽を楽しみたい、或いは種類の異なるスピーカ装置を聴き比べたいという要求がある。しかしながら、スピーカ装置を使い分けて試聴することや数あるスピーカ装置を聴き比べるには、設置面積の広大化等の様々な制約があり、このような要求を実現することは困難である。
【０００３】
また、一般的にスピーカ装置の聴き比べに関しては、展示会等でのスピーカ装置の展示方法などを例にとると、展示物の展示とその説明については、来訪者に多くの展示物を効率的に展示し、その展示物の性能や特徴を充分にアピールでき、その上来訪者の印象に残る展示方法であることが望ましい。特に、展示物がスピーカ装置である場合、多くの聴取者は展示物である新製品等のスピーカ装置を数多く聴き比べ、その性能や音質等について充分に吟味したいという要求があることは当然である。
【０００４】
図１は、従来の展示用のスピーカ装置Ｊ１を示した上面平面図である。これらは、展示用の多数のスピーカユニットを左右に設けたものであり、具体的には聴取者Ａが、スピーカ装置Ｊ１からはなれた位置に立ち、これらの各スピーカユニットＪ２ａ〜Ｊ２ｆの６台のスピーカユニットから順次、音声を出力してこれらの聴き比べや試聴を行うものである。同図では、聴取者Ａはスピーカ装置Ｊ１の中央のメインユニットＪ３を正面に位置している。
【発明の開示】
【発明が解決しようとする課題】
【０００５】
しかしながら、上記のスピーカ装置Ｊ１の各スピーカユニットＪ２ａ〜Ｊ２ｆを順次、動作させ試聴を行うと以下の問題点がある。
【０００６】
通常、スピーカユニットの聴取位置は、スピーカユニットの基準軸Ｋａ〜Ｋｆ（図１の破線にて示す）上に聴取者が位置して聴取することが一番望ましいが、図１に示すように、聴取者Ａが各スピーカユニットＪ２ａ〜Ｊ２ｆ正面の各基準軸Ｋａ〜Ｋｆ上からやや外れた位置にいる場合、各スピーカユニットＪ２ａ〜Ｊ２ｆの直接音を正確に聴取できず、聴き比べ等に影響を与えるという問題がある。また、各スピーカユニットから聴取者Ａまでの最短距離に差が生じ（同図のＬ１〜Ｌ６参照）、出力された音声が聴取者Ａまでに到達するまでに時間差が生じるので、これらの各スピーカユニットを聴き比べることに多少の誤差が生じることは否定できない。したがって、聴取者Ａが同図に示す位置にとどまり、これらの各スピーカユニットＪ２ａ〜Ｊ２ｆを聴き比べるこれらのスピーカ装置Ｊ１を用いた方法は、良い試聴方法とは言い難い。
【０００７】
また、仮に直接音を正しく聴取しようと聴取者Ａが各スピーカユニットＪ２ａ〜Ｊ２ｆ正面の各基準軸Ｋａ〜Ｋｆ上に移動して聴き比べを行うことも考えられるが、これは聴取者Ａにとっては非常に面倒であると共に、これらの移動動作は集中して聴き比べをすることへの妨げになると言える。
【０００８】
加えて、図１に示すスピーカ装置Ｊ１は、設置するスペースが非常に多く、一定の広さが必要となり、スペースに制限のある展示会場等では非常に不都合であった。
【０００９】
本発明は、このような問題に対処することを課題の一例とするものである。すなわち、複数のスピーカユニットを省スペースにて効率的に試聴や展示ができ、且つ試聴の際に、各スピーカユニットの正面の基準軸上で常に聴取できるため、的確な聴き比べや試聴が可能となること等、が本発明の目的である。
【課題を解決するための手段】
【００１０】
このような目的を達成するために、本発明によるスピーカ装置は、以下の独立請求項に係る構成を少なくとも具備するものである。
【００１１】
[請求項１]複数のスピーカユニットにおける基準軸の方向が放射状に向くように各スピーカユニットを支持する支持部と、前記各スピーカユニットの基準軸が特定の方向に向くように前記支持部を回転させる回動部とを備え、前記特定の方向に前記基準軸が向いたスピーカユニットに対して、選択的に音声信号を出力するスピーカ選択駆動手段を備えることを特徴とするスピーカ装置。
【発明を実施するための最良の形態】
【００１２】
以下、本発明の実施形態に係るスピーカ装置について、図面を参照にしながら詳細に説明する。
【００１３】
なお、以下の図２〜図６を用いて、上下方向の回転移動動作を行うスピーカ装置１０について説明していく。図７は、本発明の他の実施形態である上下回転型スピーカ装置１０Ａである。また、更に他の実施形態として、支持部２０を横方向又は傾斜方向に回転するもの考えられる。これは、複数のスピーカユニットを横方向の回転移動にて行うスピーカ装置を複数設置した実施形態（システム）として図９（横回転型のスピーカ装置を利用したスピーカ試聴システム１００）に示した。
【００１４】
以下、本発明の実施形態である上下回転型のスピーカ装置１０について以下説明する。図２は、本発明の実施形態に係るスピーカ装置１０を示す斜視図である。スピーカ装置１０は、複数のスピーカユニットＳＰ１〜ＳＰ６における基準軸の方向が放射状に向くように各スピーカユニットを支持する支持部２０と、各スピーカユニットＳＰの基準軸が特定の方向に向くように支持部２０を回転させる回動部３０とを備え、上述の特定の方向にこの基準軸が向いたスピーカユニットに対して、選択的に音声信号を出力するスピーカ選択駆動手段とを備える。また、本発明の実施形態は、スピーカ群の中から選択した特定のスピーカユニットを所定位置に配置するように回動部３０に命令を出す制御部４０と、この制御部４０の命令信号により所定位置に配置したスピーカユニットに音声出力する再生部５０を備える。
【００１５】
そして、選択したスピーカユニットＳＰが所定位置に配置されることと同期して、制御部４０からの命令信号により、所望の表示データを出力する表示部６０を備える。また、本発明の実施形態は、聴取者が所定範囲内に存在することを検知し、制御部４０に検出信号を送り、回動部３０を介して支持部２０を動作させる人体検出センサ７０を備える。
【００１６】
これらの構成要素について順次詳細に説明すると、支持部２０は、多角形の回転体からなり、その表面には複数のスピーカユニットＳＰを環状に配置支持し、これらのスピーカユニットＳＰの基準軸の方向が上下方向に変更するように支持部２０を回転させる水平回転軸を有する。具体的には、図２では、６角形の支持部２０の表面に６種類のスピーカユニットＳＰ１〜ＳＰ６の配置を例示した。支持部２０にて、それぞれのスピーカユニットＳＰ１〜ＳＰ６は支持部２０を介して、回動部３０の水平回転軸のシャフト３１と固定支持されている。したがって、このシャフト３１を回転駆動させることで、選択した特定のスピーカユニットＳＰが聴取者Ａと正対するように回転して、所定位置に配置される。なお、同図では、スピーカユニットＳＰ２が聴取者Ａと正対するように所定位置に配置された例を示した。そして、シャフト３１の端部は、スピーカ装置１０全体を支持するメインユニット１１の両側又は片側に配置された支持柱１２によって回転可能なように支持される。
【００１７】
次に、図２の回動部３０について、図３を用いて詳細に説明する。図３は、回動部３０の拡大斜視図である。回動部３０は、モータを用いて支持部２０を回転駆動させるためのものであり、具体的には、同図に示すように中心にシャフト３１を備えた回転ギア３２の外周溝とモータ３３の回転軸に取り付けたモータギア３４の外周溝が嵌合するように設置する。そして、モータ３３を駆動させることで、モータギア３４と噛合った回転ギア３２が回転し、その回転ギア３２の中心に固定されたシャフト３１が回転駆動することで、支持部２０が上下方向に回転する。
【００１８】
回転ギア３２の表面には、両表面を貫通する固定孔３５が複数形成されており、この固定孔３５は支持部２０外周のスピーカユニットＳＰ１〜ＳＰ６を所定位置に固定するためのものである。同図では、各スピーカユニットＳＰ１〜ＳＰ６に対応する固定孔をそれぞれ固定孔３５１〜３５６とする。そして、この各固定孔３５内部に適切に挿入できるレバー（以下、凸部Ｔとする）と、これを動作させるスイッチ３６は、固定孔３５付近に配設され、電気的制御によりこの凸部Ｔをこれらの各固定孔３５内外に出し入れすることができる。そして、スイッチ３６の動作時（ＯＦＦ→ＯＮ）には、選択された特定のスピーカユニットに対応した固定孔３５に凸部Ｔを挿入する。例えばスピーカユニットＳＰ２を聴取者Ａと正対させる所定位置に固定するためには、固定孔３５２内にスイッチ３６の凸部Ｔを挿入し、回転ギア３４が更に回転しないように完全に固定される。このようにして、聴取者Ａと正対する所定位置にスピーカユニットＳＰ２が適切に配設される。
【００１９】
そして、次のスピーカユニットＳＰ３を聴取者Ａと正対する所定位置にまで回転させたい場合は、再度モータ３３を回転させると共にスイッチ３６を切替えて（ＯＮ→ＯＦＦ）、凸部ＴをスピーカユニットＳＰ２に対応する固定孔３５２から外す。モータ３３の回転により、モータギア３４,回転ギア３２,シャフト３１を介してスピーカユニットＳＰ３は、聴取者Ａと正対する所定の位置にまで回転する。このとき、スピーカユニットＳＰ３に対応した固定孔３５３が凸部Ｔ位置まで回転しているので、スイッチ３６を制御して、この凸部Ｔを固定孔３５３内に挿入することで、スピーカユニットＳＰ３を所定位置に固定し、そして、モータ３３の動作を停止する。このようにして、聴取者Ａと正対する所定位置に次のスピーカユニットＳＰ３が適切に配設される。なお、同図は、６種のスピーカユニットを備えているため、回転ギア３２の表面にこの固定孔３５１〜３５６を６箇所設けている例である。
【００２０】
なお、本発明の実施形態では、支持部２０の回転や停止をするために回転ギア３２の表面に形成した複数の固定孔に、スイッチ３６にて制御する凸部Ｔを出し入れすることで回転ギア３２を制御した例を示した。しかし、回転ギア３２を制御する方法はこのような機械的な方法だけに限定せず、例えば固定孔を設けずに後述する制御部４０にて、回転モータ３３を制御して、回転ギア３２の回転や停止を制御する方法でもよい。
【００２１】
次に、再度図２に戻り、その他の構成要素について説明する。
【００２２】
制御部４０は、本発明の実施形態のスピーカ装置１０を適正に動作させるための主要部であり、人体検出センサ７０からの検出信号を受けて、回動部３０に命令信号を出して支持部２０を回転させると共に、再生部５０に音楽等の音声情報を再生させる命令信号を出し、所定位置のスピーカＳＰ２から音声出力する。或いは、再生部５０と所定位置のスピーカＳＰ２の接続過程（例えば、制御部４０内部）にスピーカリレーＳＲ（不図示）を設け、制御部４０がこのスピーカリレーＳＰを切替える（ＯＮする）ことで所定位置のスピーカＳＰ２から音声出力するものであってもよい。更に、制御部４０は、支持部２０を設定時間毎に順次切替えるように駆動制御して、次のスピーカユニットＳＰを所定位置となるように回転駆動させてもよい。
【００２３】
そして、このような回転動作を続行し、やがて人体検出センサ７０が検知可能な所定範囲内に聴取者Ａが存在しないことを検知すると、制御部４０はモータの回転を停止させる命令信号を回動部３０に出すと共に、再生部５０からの音楽再生を停止する命令信号を再生部５０に出すか、或いはスピーカリレーＳＲをＯＦＦする命令信号を出して、所定位置のスピーカＳＰからの音声出力を停止させる。
【００２４】
そして、再生部５０については、特に制限はないもののＣＤプレーヤー等の再生手段に限らず音楽等がスピーカユニットＳＰ１〜ＳＰ６にて試聴できる内容の音声情報を提供できるものであればよい。
【００２５】
また、表示部６０は、音声出力している選択された特定のスピーカユニットＳＰ２に関する情報などを表示し、例えばメインユニット１１の正面位置などの聴取者にとって、よく目立つ箇所に設置するものである。これらの表示部６０は、スピーカ装置１０と分離されて聴取者にとって更に見やすい箇所に設置してもよい。なお、表示するデータ等はハードディスク（不図示）などの記録装置に保存し、例えばメインユニット１１内部に備えてもよい。
【００２６】
次に、図４を用いて、本発明の実施形態であるスピーカ装置１０の各スピーカユニットＳＰの切替え、及び音声出力を行うスピーカ選択駆動手段の動作について説明する。同図は、これらを示す一部透明な斜視図であり、スピーカユニットＳＰ２は、聴取者Ａと対向するように所定位置に配置され、制御部４０を介して再生部５０からの音楽等の音声信号をスピーカユニットＳＰ２から音声出力している。
【００２７】
制御部４０と再生部５０は、配線１３を介して電気的に接続され、制御部４０は、メインユニット１１の内部及び支持柱１２Ａの側面に配設した配線１４ａ，１４ｂを介して支持部２０の各スピーカユニットＳＰ１〜ＳＰ６へ電気的に接続されている。２本の配線１４ａ，１４ｂは一方を＋（プラス）配線用に、他方を−（マイナス）配線用に用い、ここでは、例として配線１４ａを＋配線用とし、配線１４ｂを−配線用とした。支持柱１２Ａから導出された配線１４ａ，１４ｂは、支持部２０の側面に配置された＋（プラス）用の接点バネ１５ａと−（マイナス）用の接点バネ１５ｂと接続する。そして、支持部２０の側面の所定位置に接点板１６ａ（＋配線用）と接点板１６ｂ（−配線用）を備え、これらは、各スピーカユニットＳＰ１〜ＳＰ６の個々から接続された配線１７ａ、１７ｂとそれぞれ電気的に接続される。
【００２８】
例えば、図４では、所定位置に配置されたスピーカユニットＳＰ２のボイスコイルボビン（不図示）と接続された配線１７ａ２，１７ｂ２が、支持部２０の側面に配置された接点板１６ａ２，１６ｂ２とそれぞれ電気的に接続されている。そして、これらの接点板１６ａ２，１６ｂ２は、制御部４０と電気的に接続された配線１４ａ，１４ｂの末端部の接点バネ１５ａ，１５ｂと接点接続される。このようにして、再生部５０にて再生された音楽等の音声信号は、制御部４０を介して電気信号として伝えられ、配線１４ａ，１４ｂと接点板１６ａ２，１６ｂ２、及び配線１７ａ２，１７ｂ２を経由して、所定位置に配置された特定のスピーカユニットＳＰ２から音声出力される。
【００２９】
そして、一定時間の経過後に、制御部４０は、回動部３０のモータ３２及びスイッチ３６に命令信号を出し、支持部２０を回転させて次のスピーカユニットＳＰ３を聴取者Ａと正対する位置に回転させ所定位置に固定する（上述した図３の回動部３０の動作）。この結果、図４に示す支持部２０が図中の矢印方向へ回転し、次のスピーカユニットＳＰ３が聴取者Ａと正対する所定位置に回転移動し、それに伴いスピーカユニットＳＰ３と電気的に接続された配線１７ａ３，１７ｂ３と接点板１６ａ３，１６ｂ３は、支持柱１２側面に配設された接点バネ１５ａ，１５ｂと接点接続される位置にまで回転移動され、これらが電気的に接続されることで、次のスピーカユニットＳＰ３は、再生部５０にて再生された音楽等が音声出力される。それまで音楽等を出力していたスピーカユニットＳＰ２は、回転移動により信号を供給していた配線１７ａ２，１７ｂ２が、支持柱１２Ａと固定された接点バネ１５ａ，１５ｂから離間されたため電気的に切断され、音声出力を停止する。
【００３０】
このような動作を繰り返すことで、各スピーカユニットＳＰ１〜ＳＰ６を所定位置に順次配置し、音楽等を再生することで聴取者Ａは、選択された特定のスピーカユニットＳＰを試聴できる。
【００３１】
なお、接点バネ１５ａ，１５ｂの形状や材質等のついては特に制限はなく、各接点板１６ａ，１６ｂとの回転動作による接点接続が円滑に行われるものであればよい。また、図４では、図２に示す回動部３０が設置された支持柱１２と反対側の支持柱１２Ａに、これらの配線や接点バネ,接点板を設けた例を示したが、これらに限定されるものではなく、回動部側の支持柱１２に上述したすべての要素を設けてもよい。
【００３２】
次に、図２に示す人体検出センサ７０について、図５、図６を用いて説明する。図５は、スピーカ装置１０の正面から見た全体図であり、図６は、人体検出センサ７０の一例を示す説明図である。
【００３３】
人体検出センサ７０は、図５に示すようにメインユニット１１の正面位置に設けられており、聴取者Ａが検知可能な所定範囲Ｓ内（同図中の斜線図内）に存在するか否かを判定するセンサである。同図では、所定位置のスピーカユニットＳＰ２正面の基準軸Ｋ（図中の破線）と一致する位置に人体検出センサ７０を配置した例を示した。聴取者Ａが所定範囲Ｓ外に移動した場合は、人体検出センサ７０は制御部４０に未検出信号を出力する（又は検出信号を出さずに一定時間経過する）ことで、制御部４０は再生部５０へ音楽等の再生停止命令を出し（又はスピーカリレーをＯＦＦし）、所定位置のスピーカユニットＳＰ２の音声出力を停止させる。
【００３４】
図６は、人体検出センサ７０の構造について一例を示した説明図である。図６（ａ）に示す焦電型赤外線センサ７１は、検出範囲内の空間に人体の温度付近の温度領域の赤外線があるかどうかを、その検出範囲内の空間の温度変化に基づいて検出するものである。また図６（ｂ）に示す超音波センサ７２は、超音波を用いることにより、その温度領域に存在する物体に対して、距離情報を含めて検出するものである。回転台７３は、図６（ｃ）に示すように、焦電型赤外線センサ７１と超音波センサ７２とが検出方向を整合させて一体に設置され、アクチュエータ７３ａの動作により、回転できるようになっている。このような人体検出センサ７０において、焦電型赤外線センサ７１が静止している聴取者Ａの周囲の温度変化のない温度領域で聴取者Ａの検知が困難な状況であっても、回転台７３が回転することにより、聴取者Ａと周囲との温度差を検知できる。なお、この回転台７３の回転動作については、特に制限はなく、一定の時間間隔毎に周期的に回転させるものであってもよい。また、単に図６（ａ）に示す焦電型赤外線センサ７１のみを用いて人体検出センサ７０として利用してもよい。
【００３５】
このようにして、聴取者Ａが人体検出センサ７０の検知可能な所定範囲Ｓに現れると、人体検出センサ７０が検知して、制御部４０に検出信号を出力し、これにより制御部４０は再生部５０に命令信号を出して再生させ、スピーカユニットＳＰ２から音楽等が出力される。なお、図６では、人体検出センサ７０の一例を示したにすぎず、人の有無を赤外線などの光や超音波を利用した人体センサで検出する例に限らず、明るさを検出する照度センサや騒音の有無を検出する音センサによって、人の有無を判断させることもできる。
【００３６】
なお、本発明の実施形態では、人体検出センサ７０をメインユニット１１の前面に設置する例を示したが、人体検出センサ７０を上下位置に複数設置し、聴取者Ａの身長に合わせて選択されたスピーカユニットの高さを決定して音声出力させるものであってもよい。
【００３７】
具体的には、図２の支持柱１２の側面（聴取者Ａと正対する面）に、人体検出センサ７０を一定の間隔毎に複数設け、聴取者Ａの頭部位置を特定し、この位置に合わせるように音声出力するスピーカユニットの特定方向の高さを決定することが考えられる。また、聴取者Ａの頭部位置に合わせる方法としては、複数の人体検出センサ７０のうち、人体検出をした最上位（又は未検出の最下位）の人体検出センサ７０の位置を聴取者Ａの頭部位置と定める等が考えられる。この場合は、図３に示す固定孔を用いずに制御部５０が電気的に制御して支持部２０を回転させることで対応する。
【００３８】
或いは、聴取者Ａと正対する支持柱１２の側面の所望位置に、人体検出センサ７０を一箇所設け、この支持柱１２が上下方向に延長可能なように機械的に動作させてもよい。この場合は、上方向に延長した支持柱１２に設置された人体検出センサ７０が聴取者Ａを検出しなくなった高さが音声出力するスピーカユニットの特定方向の高さとなる。
【００３９】
図７は、本発明の他の実施形態であり、人体検出センサ７０を本発明の実施形態のスピーカ装置１０の一方向とそれと反対方向に２箇所配置した例（スピーカ装置１０Ａ）である。本実施形態は、２箇所の人体検出センサ７０Ａ,７０Ｂのいずれか一方が、聴取者Ａ又はＢを検知した場合、各スピーカユニットＳＰ１〜ＳＰ６に電気的に接続されている接点板１８１〜１８６に、切替部１９が検出側に反応して接触し、特定のスピーカ装置ＳＰから音声出力するものである。すなわち、切替部１９は２箇所配置した人体検出センサ７０Ａ,７０Ｂのいずれか一方のみに同期して反応し、反応した側の特定のスピーカユニットＳＰから音声出力するように動作するものである。
【００４０】
具体的に示すと、同図では所定位置にあるスピーカユニットＳＰ２に対して、聴取者Ａが正対し、人体検出センサ７０Ａが聴取者Ａを検知して、スピーカユニットＳＰ２より音声出力されている状態を示す。人体検出センサ７０Ａが、聴取者Ａを検知すると、所定位置のスピーカユニットＳＰ２と電気的に接続された接点板１８２に切替部１９が接触するように動作し、その結果スピーカユニットＳＰ２から音声出力させるものである。一方、聴取者Ａが不在で、反対方向に聴取者Ｂが現れ、人体検出センサ７０Ｂがその存在を検出した場合は、切替部１９が聴取者Ｂと正対する特定のスピーカユニットＳＰ（同図ではスピーカユニットＳＰ５）の接点板１８５と接触するように切り替わり、スピーカユニットＳＰ５からのみ音声出力される。
【００４１】
このような実施形態によると、単に一方向のスピーカユニットＳＰだけから音声出力されるのではなく、相対する２方向からの音声出力が可能となるため、展示会等で展示する場合は、人が多く、目立つ展示会場の中央等に設置できるため、来訪者の目を引き、強い印象を与えるとともに効率的な展示が可能となる。
【００４２】
なお、図７にて上述した例では、聴取者Ａ又はＢのいずれか一方にだけしか音声出力しない場合を示したが、本実施形態はこれに限らず、切替部１９が常に両方の接触板１８（同図では、接触板１８２,１８５）に同時に接触している延在型を採用し、常に両スピーカユニットＳＰ２,ＳＰ５から音声出力できる状態を維持するものであってもよい。この場合、人体検出センサ７０Ａ又は７０Ｂの少なくとも一方が聴取者を検出した場合は、制御部にて該当スピーカユニットＳＰ２又はＳＰ５から音声出力できるように設定すればよく、また、聴取者Ａ,Ｂが同時に現れ、人体検出センサ７０Ａ,７０Ｂが同時に検出した場合は、該当するスピーカユニットＳＰ２,ＳＰ５の双方から同時に音声出力できるものである。そして、図７のスピーカ装置１０Ａは、設定時間毎に切り替わり、聴取者はすべてのスピーカユニットの試聴が可能となる。
【００４３】
図８は、本発明の実施形態に係るスピーカ装置を用いたスピーカ試聴システム１００を示す全体図である。同図は、複数のスピーカユニットを備えた支持部が回動するスピーカユニットが、聴取者Ａ，Ｂに対して複数設置されており、各スピーカ装置には、複数の人体検出センサと複数のスピーカ接点が設けてある。これにより、各スピーカ装置は、聴取者の位置に応じて各スピーカユニットの基準軸が特定方向に向くと共に、複数のスピーカユニットから同時に音声出力をするものである。
【００４４】
具体的に、図８のスピーカ試聴システム１００を用いて説明すると、聴取者Ａ，Ｂの周囲には、６台のスピーカ装置１０Ｂ１〜１０Ｂ６が設置され、これらはすべて垂直回転軸を有する横回転型のスピーカ装置であり、各スピーカユニットＳＰ１〜ＳＰ６に対し、それぞれ人体検出センサ７０１〜７０６を有する（例えば、各スピーカユニットの上部にそれぞれ配置する）。そして、これらの各人体検出センサ７０１〜７０６が聴取者を検知した場合に、対応するスピーカユニットＳＰ１〜ＳＰ６から音声出力するように、各スピーカユニットに接続されたスピーカ接点ＳＳ１〜ＳＳ６が設けられている。これらのスピーカ接点ＳＳ１〜ＳＳ６は、内部に配置された再生部５０から音声信号を各スピーカユニットＳＰ１〜ＳＰ６に個別に音声出力するために設けられ、それぞれの人体検出センサ７０１〜７０６の検知により、動作するものである。つまり、すべての人体検出センサが聴取者を検知すればすべてのスピーカユニットＳＰ１〜ＳＰ６から同時に音声出力することも可能である。
【００４５】
同図において、聴取者Ａの存在する範囲（エリアａとする）は、スピーカ装置１０Ｂ１，１０Ｂ２，１０Ｂ４，１０Ｂ５の４台の人体検出センサ７０１が人体検出可能な範囲を表し、各スピーカ装置のスピーカユニットＳＰ１が同時に音声出力していることを示す。そして、聴取者Ａがエリアａに存在する限りは、各人体検出センサ７０１が反応して、一定の時間間隔（設定時間間隔）毎に回動部が回転し、他のスピーカユニットからの音声聴取を可能とする。そして、聴取者Ａは正面位置に配置された表示部６０Ａから音声出力しているスピーカユニットＳＰ１の性能等の情報を得ることができる。
【００４６】
また、各人体検出センサが聴取者Ａの移動位置を検知し、聴取者Ａと正対するように特定のスピーカユニットの基準軸を向けるように、制御部が回動部に命令させる機能を有することで、聴取者Ａの移動に応じた音声出力が可能となるように、各スピーカ装置を連動させてもよい。
【００４７】
また、仮に、同図に示すようにエリアａの聴取者Ａと同時に、聴取者Ｂがスピーカ装置１０Ｂ２，１０Ｂ３，１０Ｂ５，１０Ｂ６の４台の人体検出が可能な範囲（エリアｂとする）に現れたとしても、設置したスピーカ装置１０Ｂ１〜１０Ｂ６を有機的に連動させて、聴取者Ａ，Ｂが各スピーカ装置から試聴するスピーカユニットが一致するように動作させる。つまり、同図では聴取者Ａは４台のスピーカユニットＳＰ１から聴取できると共に表示部６０ＡからスピーカユニットＳＰ１の情報を得、聴取者Ｂは４台のスピーカユニットＳＰ３から聴取できると共に表示部６０ＢからスピーカユニットＳＰ３の情報を得るように、本発明の試聴システム１００は機能している。
【００４８】
なお、スピーカ試聴システム１００に示した各スピーカ装置１０Ｂ１〜１０Ｂ６は、図２に示す上下回転型のスピーカ装置であってもよく、また図示はしないが支持部２０を傾斜方向に回転する傾斜回転型のスピーカ装置を採用してもよい。
【００４９】
このような実施形態によると、一定の特定方向に限定されず、支持部に配設されたすべてのスピーカユニットＳＰ１〜ＳＰ６を同時音声出力でき、一定のエリアにいる聴取者は、複数の回転型スピーカ装置からステレオ音の試聴が可能となる。更には、これらと同時に違うエリアにいる聴取者さえも、ステレオ音による試聴が可能となる試聴システムを本実施形態は実現できる。特に、本実施形態の試聴システムに横回転型のスピーカ装置を利用することで、複数エリアにおける同時試聴が可能となる。
【００５０】
次に、本発明の実施形態であるスピーカ装置１０の回動制御手段の一例について、図９のフロー図の各ステップ（Ｓ１〜Ｓ５，Ｓ１１）を用いて詳細に説明する。
【００５１】
聴取者Ａが本発明の実施形態であるスピーカ装置１０のほぼ正面に立つと、人体検出センサ７０が聴取者Ａの存在を検知し（Ｓ１）、制御部４０はスピーカリレーＳＲをＯＮにする命令を出す（Ｓ１１）。このスピーカリレーＳＲは、制御部４０内に配置された再生部５０と支持部２０を繋ぐスイッチ機能を有するものであり、ＯＮすることで再生部５０から再生された音楽等を所定位置のスピーカユニットＳＰへと伝え、そのスピーカユニットＳＰが外部へと音声出力する。
【００５２】
Ｓ１１と並行して、制御部４０は人体検出センサ７０の検知を５秒間行う（Ｓ２）。そして、Ｓ２の結果、聴取者Ａの存在を検知しない場合（例えば、聴取者Ａが５秒以内に移動した場合や単に通行人を検知した場合等）は、人体センサ検出（Ｓ１）に帰還し、再度人体検出を最初から行う。逆に、聴取者Ａの存在が５秒間続行して検知される場合は、制御部４０はモータ３２を回転させる命令信号を回動部３０に出すと共に、図３のスイッチ３６に現在固定されている固定孔３５から凸部Ｔを外す命令信号を出す（Ｓ３）。
【００５３】
モータ３２の回転により、次のスピーカユニット（例えばスピーカユニットＳＰ３）が聴取者Ａの正面に位置するように配置され、それと共に制御部４０は、次のスピーカユニットＳＰ３と対応する固定孔３５３に凸部Ｔを突出させるように、スイッチ３６に命令信号を出す。これにより、固定孔３５３に凸部Ｔが挿入され、回転ギア３２の回転が抑止されて支持部２０が固定される。そして、聴取者Ａの正面に次のスピーカユニットＳＰ３が適正位置となるように配置される（ＳＷ切替（Ｓ４））。
【００５４】
その後、制御部４０は、モータ３２の回転を停止する命令信号を出してモータ３２を停止させる（Ｓ５）。なお、スピーカリレーＳＲは、この間常にＯＮ状態を維持する。そして、モータを停止し、次のスピーカユニットを所定位置に配置した後、制御部４０は人体センサ検出（Ｓ１）に帰還して、再度聴取者Ａの存在を検出する（Ｓ１）。引き続き、聴取者Ａの存在を検知した場合は、Ｓ２〜Ｓ５，Ｓ１１の各ステップを繰り返す。すなわち、制御部４０は聴取者Ａの存在を検知している間は、一定の時間間隔（設定時間間隔）毎に回動部３０に命令信号を出力して支持部２０を断続的に回転動作させている。
【００５５】
仮に、聴取者Ａが移動して人体検出センサ７０の検出可能な所定範囲Ｓから外れ、検知できなくなった場合は、人体センサ検出（Ｓ１）において、人体検出センサ７０が制御部４０に未検知の命令信号を出す（又は、検知信号を出力しないで一定時間経過する）ため、制御部４０はスピーカリレーＳＲ（Ｓ１１）にＯＦＦの命令信号を出し、再生部５０から所定位置のスピーカユニットへの音声信号等の送信を切断する。これにより、所定位置のスピーカユニットからの音声出力は停止して、これらの一連の動作は終了する（ＥＮＤ）。
【００５６】
なお、聴取者Ａは、制御部４０が人体検出センサ７０の検知を５秒行う間（Ｓ２）に一番目の所定位置のスピーカユニット（聴取者Ａの正面に位置した最初のスピーカユニット、例えばスピーカユニットＳＰ２）から出力された音楽等を試聴する。すなわち、本発明の実施形態では、５秒間の検知に加え支持部２０の動作時間を含めると、聴取者Ａがそれぞれの各スピーカユニットのいずれか一つを試聴する時間は、約５〜１０秒程度となるが、検知時間等の時間設定を変更することで様々な時間間隔による試聴が可能である。
【００５７】
また、本発明の実施形態のスピーカ装置１０は、スピーカユニットＳＰ１〜ＳＰ６から選択された特定のスピーカユニットＳＰを自動により所定位置にまで回転させることができるものも含まれる。例えば、聴取者ＡがスピーカユニットＳＰ２とスピーカユニットＳＰ４だけを聴き比べたい場合などである。
【００５８】
これらについて、再度図９を用いて説明すると、選択されたスピーカユニットＳＰを所定位置に変更したい場合は、聴取者Ａの意思により自由に入力できる入力装置による入力操作（Ｓ３１）を設け、この入力操作によりモータ回転開始（Ｓ３）をいつでも行えるようにするとよい。つまり、聴取者Ａが入力（Ｓ３１）を行うことで、スピーカ装置１０がいかなる動作中であっても、制御部４０は、モータ回転開始（Ｓ３）への命令を出し、ＳＷ切替（Ｓ４）を経て、次のスピーカユニット（例えば、スピーカユニットＳＰ３）を所定位置に回転させる。そこで、聴取者Ａが更に、入力操作（Ｓ３１）を続行すると、更に次のスピーカユニット（例えば、スピーカユニットＳＰ４）へと回転する。そして、所望のスピーカユニットが所定位置（正面）に来たら、入力操作（Ｓ３１）を止め、モータ停止（Ｓ５）となり、結果希望するスピーカユニットＳＰ４からの音声出力を楽しむことができる。
【００５９】
このように、聴取者からの入力操作（Ｓ３１）が行われた場合、制御部４０は選択された特定のスピーカユニットＳＰ４からの音声出力を継続する。この場合、聴取者Ａからの次の入力操作（Ｓ３１）があるまでは、上述した設定時間による支持部２０の回転動作を抑制して回転動作を行わないように設定し、所望のスピーカユニットＳＰ４を試聴し続けるようにしてもよい。
【００６０】
また、本実施形態は、自動で支持部２０を回転させた例を示したが、聴取者の意思により手動にて、支持部２０を回転させるものであってもよい。つまり、聴取者が希望するスピーカユニットＳＰを自分の正対する所定位置に配置するため、手動により支持部２０を回転可能とする。これにより、更に聴取者の意思に基づき自由自在に各スピーカユニットの試聴や聴き比べが可能となる。
【００６１】
なお、本発明の実施形態のスピーカ装置１０では、入力(Ｓ３１)において、支持部２０が一方向の回転だけでなく、逆方向回転することも聴取者Ａの希望によりできるものも含まれる。これにより、聴取者Ａは自動的に又は手動により自由自在に自分の好みに応じたスピーカユニットを適宜選択して、いつでも聴き比べや試聴をすることができる。
【００６２】
図１０は、本発明の実施形態のスピーカ装置１０のブロック図の一例である。メインユニット１１内部には、制御部４０，再生部５０，人体検出センサ７０，表示データＤを備える。メインユニット１１外部には、支持部２０，回動部３０，表示部６０，スピーカ群ＳＰを備える。
【００６３】
制御部４０は、中心部に演算処理部４１を備え、この演算処理部４１と相互に電気的信号を送受信可能な回動制御部４２，再生制御部４３，表示制御部４４及びスピーカリレーＳＲを有するものであり、具体的にはマイコンなどが挙げられる。
【００６４】
回動制御部４２は、人体検出センサ７０と電気的に接続され、人体検出センサ７０からの検出信号を受け、回動部３０に動作開始の命令信号を出し、この回動部３０を動作させるモータドライバーを介してモータ３３を動作させ、支持部２０を回転させる。このように、回動制御部４２は、モータ３３を制御すると共にスイッチ３６の切替えを制御して、支持部２０の回転動作を制御する。
【００６５】
再生制御部４３は、再生部５０から再生される音楽等が所定位置のスピーカユニットＳＰに適切に出力されるようにスピーカリレーＳＲを制御する。これらのスピーカリレーＳＲをＯＮ／ＯＦＦすることで、選択されたスピーカユニットＳＰからの音声出力を制御する。また、スピーカリレーＳＲを設けずに、直接再生部５０の再生動作を制御するものであってもよい。
【００６６】
表示制御部４４は、各スピーカユニットＳＰのそれぞれの詳細なデータ（例えば、性能や特質など）を蓄積した表示データＤから所望のデータ内容を選択し、表示部６０に表示する。ここで、選択されるデータは、現在音声出力されているスピーカユニットＳＰのデータであり、このスピーカユニットＳＰが所定位置に配置され、特定方向を向く動作と同期して表示部６０に表示する。
【００６７】
なお、図１０に図示してはいないが、記憶装置などの記憶手段を再生部５０や表示部６０と接続して配置させ、さまざまなデータを提供するものでもよい。例えば、再生部５０と接続する記憶手段として、聴取者Ａのリクエストする曲などを多数出力できるようにメモリーなどを用いることなどが挙げられる。このような場合、聴取者Ａに種々の音声情報の聴き比べの機会を与え、高い満足感を与えることができる。
【００６８】
また、この記憶手段の代わりに、電話回線等を利用してインターネット接続させる外部接続手段を設け、例えば、特定の楽器、又は特殊な人工的な音などをダウンロードし、所定位置の選択されたスピーカユニットＳＰに音声出力することで、それぞれのスピーカユニットＳＰの特性を十二分に確認でき、聴取者Ａの要求に更に応えることができる。そして、これらの音声出力の音声情報等を聴取者自身が自由に選択できる入力装置を別途備えてもよい。
【００６９】
このように、本発明の実施形態は、制御部４０を中心に支持部２０，回動部３０，再生部５０，表示部６０等を有機的に連動させ、聴取者Ａにとって最良の聴き比べや試聴ができる音響環境を提供すると共に、各スピーカユニットの性能や音質等を容易に比較できる。
【００７０】
従って、本発明の実施形態にスピーカ装置によれば、スピーカ装置選択（ハード）と音声情報選択（ソフト）でのモード設定を意図的に、且つ自在に切替える事により、性能と音質を合わせた音響環境を提供できる。
【００７１】
以上説明したように、本発明の実施形態のスピーカ装置は、省スペース構造であるため、広さに制限のある展示会場や部屋にも有効であり、効率的に多数のスピーカユニットの聴取が可能である。また、ユーザ個人が本発明の実施形態のスピーカ装置を利用することで、自分の好みに合ったスピーカユニットを支持部に複数設け、自由自在にこれらを使いこなすことで、種類の異なるスピーカユニットを使い分けて、或いは容易に聴き比べことができ、満足感の高い音響環境を実現できる。
【００７２】
加えて、展示用に本発明の実施形態のスピーカ装置を採用した場合、聴取者が所定位置のスピーカユニットに正対して立つことだけで、不必要に移動することがなく、様々なスピーカユニットを基準軸上で聴くことができるので、誤差のない適正な試聴が可能となる。仮に、聴取者がスピーカユニット基準軸上から外れた場所に位置していたとしても、移動せずに同位置にいる限りは、すべてのスピーカユニットを同じ条件で聴き比べすることができるので、従来技術に見られるような最短距離の差による不都合は生じず、また聴取者が自ら移動する手間を要しない。
【００７３】
また、他のスピーカユニットを聴きたい場合であっても設定時間毎に順次切り替えることで、或いは自分の意思により自動的に又は手動により支持部を移動させ、選択したスピーカユニットを所定位置に配置できるので、数あるスピーカ群の中から本当に希望するスピーカユニットだけによる効率的な試聴又は聴き比べが可能となる。
【００７４】
そして、本実施形態のスピーカ装置を聴取者の周囲に複数配置するスピーカ試聴システムを採用することで、聴取者に効率的な展示が可能となると共にステレオ音による試聴環境を提供できる。
【００７５】
更に、本発明の実施形態のスピーカ装置は、複数のスピーカユニットを有するスピーカ群が環状に配置され、それらが時間の経過と共に、或いは聴取者の意思により自由自在に回転動作させることができるので、聴取者や展示会場にいる他の来訪者に対して興味を喚起し、深い印象を与えると共に非常に有効な視覚的効果をもたらす展示が可能となる。
【図面の簡単な説明】
【００７６】
【図１】従来技術の展示用のスピーカ装置を示す断面図である。
【図２】本発明の実施形態に係るスピーカ装置を示す斜視図である。
【図３】本発明の実施形態に係るスピーカ装置の回動部を示す拡大図である。
【図４】本発明の実施形態に係るスピーカ装置のスピーカ選択駆動手段の動作を示す斜視図である。
【図５】本発明の実施形態に係るスピーカ装置の人体検出センサを示す全体図である。
【図６】本発明の実施形態に係るスピーカ装置の人体検出センサの一例を示す説明図である。
【図７】本発明の他の実施形態に係るスピーカ装置を示す断面図である。
【図８】本発明の実施形態に係るスピーカ試聴システムを示す全体図である。
【図９】本発明の実施形態に係るスピーカ装置の動作を示すフロー図である。
【図１０】本発明の実施形態に係るスピーカ装置を示すブロック図である。
【符号の説明】
【００７７】
１０,１０Ａ，１０Ｂ１〜１０Ｂ６      スピーカ装置
１１      メインユニット
２０      支持部
３０      回動部
４０      制御部
５０      再生部
６０      表示部
７０      人体検出センサ
ＳＰ１〜ＳＰ６      スピーカユニット
【図１】
2006025299.tif 000003
【図２】
2006025299.tif 000004
【図３】
2006025299.tif 000005
【図４】
2006025299.tif 000006
【図５】
2006025299.tif 000007
【図６】
2006025299.tif 000008
【図７】
2006025299.tif 000009
【図８】
2006025299.tif 000010
【図９】
2006025299.tif 000011
【図１０】
2006025299.tif 000012